(57)【特許請求の範囲】
【請求項１】
一定の間隔をあけて配置される一対の転動体と、
該一対の転動体の転動によって往復動する可動駒と、
前記一対の転動体を転動自在に連結する連結体とからなり、
前記可動駒と連結体との各接合面には、スライド自在な嵌合部が設けられてなることを特徴とする蝶番。
【請求項２】
前記嵌合部は、１本または複数本の突条と溝とによって構成されてなることを特徴とする請求項１に記載の蝶番。
【請求項３】
前記転動体は、前記可動駒上を転動する転動部と、該転動部を先端部に設けた支持部と、該支持部の基端部に設けられたフランジとが一体に成形されたフレーム状であることを特徴とする請求項１または２に記載の蝶番。
【請求項４】
前記転動体は、前記可動駒上を転動する転動部と、該転動部を頂点としてほぼＶ字形に設けられた一対の傾斜板と、前記可動駒の側面の長さとほぼ同じ間隔で平行に配置された取付板とが一体に成形されたフレーム状であることを特徴とする請求項１または２に記載の蝶番。
【請求項５】
一定の間隔をあけて配置される一対の転動体と、
該一対の転動体の転動によって往復動する可動駒と、
前記一対の転動体を転動自在に連結する連結体とからなり、
前記転動体は、前記可動駒上を転動する転動部と、該転動部を先端部に設けた支持部と、該支持部の基端部に設けられたフランジとが一体に成形されたフレーム状であることを特徴とする蝶番。
【請求項６】
一定の間隔をあけて配置される一対の転動体と、
該一対の転動体の転動によって往復動する可動駒と、
前記一対の転動体を転動自在に連結する連結体とからなり、
前記転動体は、前記可動駒上を転動する転動部と、該転動部を頂点としてほぼＶ字形に設けられた一対の傾斜板と、前記可動駒の側面の長さとほぼ同じ間隔で平行に配置された取付板とが一体に成形されたフレーム状であることを特徴とする蝶番。
【請求項７】
前記可動駒の両側面には、ラックが形成され、かつ、前記一対の転動体には、該ラックと噛合するピニオンが形成されてなることを特徴とする請求項１から６のいずれか一つに記載の蝶番。
【請求項８】
前記連結体は、両端部が前記可動駒の両側面から突出し、かつ、中間部が該可動駒の相対面と当接するように設けられた一対の連結板と、前記転動体を支持し、かつ、前記連結板の両端部を連結する一対のピンとを備えてなることを特徴とする請求項１から７のいずれか一つに記載の蝶番。
【請求項９】
請求項１ないし８のいずれか一つに記載の蝶番に備えられた各転動体に扉と扉、または扉と枠体とが固定されてなることを特徴とするドア。
【請求項１０】
前記連結体は、扉厚と同じ幅または扉厚よりも狭い幅とされてなることを特徴とする請求項９に記載のドア。
【請求項１１】
転動体の幅とほぼ同じ直径の半円筒形のカバーが前記可動駒の方へ膨出するように前記蝶番の片側または両側に隣接して配置されてなることを特徴とする請求項９または１０に記載のドア。
【発明の詳細な説明】
【技術分野】
【０００１】
本発明は、パネル体を連結するための蝶番、および前記パネル体が扉であるドアに関し、詳しくは、パネル体が両方向に折れ曲がるようにした蝶番、および２枚の扉が開閉する折戸や１枚の扉が両方向に開閉する自在戸のようなドアに関する。
【背景技術】
【０００２】
折戸のようなドアは、２枚の扉が蝶番に連結されることによって開閉する。扉の開閉に際して、指が挟まれず、しかも閉扉時の仕切り性を優れたものとした蝶番が特許文献１に開示されている。
【０００３】
この蝶番は図２３ないし図２５に示すように、２枚の扉１００，１００が突き合う側端面に取り付けられる。各扉１００は、矩形板状の中実なパネル体１０１と、このパネル体１０１の一端（壁）側に固定されたフレーム１０２とを有し、他端（内）側に支柱体１１１が固定されている。
【０００４】
このような扉１００に取り付けられる蝶番１１０は、前記支柱体１１１と、図２４に示すように、この支柱体１１１それぞれの上端および下端に固着された平歯車１１２と、付き合わされて対向する一対の平歯車１１２，１１２同士を噛合させる連結板１１３とを備えている。
【０００５】
また、各支柱体１１１がパネル体１０１と接合する取付け面には、図２５に示すように、２本の突起条１１１ａ，１１１ａが鉛直方向に突設され、パネル体１０１が支柱体１１１と接合する取付け面には、２本の溝１０１ａ，１０１ａが形成されている。この２本の突起条１１１ａ，１１１ａと２本の溝１０１ａ，１０１ａとが嵌合し、さらに支柱体１１１からパネル体１０１にビス１０３がねじ込まれることにより、両者１１１，１０１が固定される。こうすることにより、パネル体１０１が木製で湿気などによって収縮しても、各平歯車１１２が捩れることなくスムーズに噛合するようにされている。
【０００６】
【特許文献１】特許第２７２８６４２号公報
【発明の開示】
【発明が解決しようとする課題】
【０００７】
特許文献１に開示された蝶番１１０は、開扉したときに、２枚のパネル体１０１が完全に重なり合うようにするため、平歯車１１２の外径がパネル体１０１の板厚よりも大きく、歯が食み出ている。しかし、平歯車１１２の歯がパネル体１０１から食み出ることにより、塵埃などが一対の平歯車１１２，１１２の間に入り、扉１００，１００がスムーズに開閉できなくなることがある。また、平歯車１１２は、耐久性に優れているとはいえず、折戸のように重量のある扉１００，１００が長期間開閉されていると、疲労し、破壊することもある。
【０００８】
加えて、特許文献１に開示された蝶番１１０は、支柱体１１１を構成要件としている。支柱体１１１は、パネル体１０１の高さや幅と一致するように個別に製造される。したがって、この蝶番１１０は、汎用性がなく、コストダウンを図ることが困難である。
【０００９】
さらに、支柱体１１１とパネル体１０１とには、２本の突起条１１１ａ，１１１ａと２本の溝１０１ａ，１０１ａとが形成されている。しかし、これら１１１ａ，１０１ａを形成する作業が面倒であるだけでなく、両者１１１ａ，１０１ａを嵌合しなければならないなど容易に取り付けることができない。
【００１０】
そこで、本発明は、パネル体から食み出ることなく、そして汎用性があり、しかも、取付けの作業性に優れた蝶番およびこの蝶番を備えたドアを提供することを課題とする。
【課題を解決するための手段】
【００１１】
本発明に係る蝶番は、一定の間隔をあけて配置される一対の転動体と、該一対の転動体の転動によって往復動する可動駒と、前記一対の転動体を転動自在に連結する連結体とからなり、前記可動駒と連結体との各接合面には、スライド自在な嵌合部が設けられてなることを特徴としている。
【００１２】
この蝶番によれば、一対の転動体が連結体に連結され、一定の間隔に維持された状態で、可動駒の側面上を回転しながら両方向に移動する。また、可動駒は転動体に押されて往復動する。なお、可動駒は、両側面が平行な直方体形状または立方体形状だけでなく、両側面がハ字形の台形状とされる場合もある。可動駒の両側面が平行に形成される場合は、転動体は円筒形の転動部を備えている。また、可動駒の両側面がハ字形に形成される場合は、転動体の転動部は円錐台形状に形成される。
【００１３】
このような可動駒を挟む一対の転動体は、可動駒の側面上を転動する。例えば、一対の転動体が可動駒の一端側に位置しているときは、両転動体の一方の面同士が対峙し、一対の転動体が可動駒の中間に位置しているときは、両転動体が可動駒を挟んで一直線に並び、一対の転動体が可動駒の他端側に位置しているときは、両転動体の他方の面同士が対峙する。換言すれば、可動駒が一対の転動体間を移動することにより、転動体が揺動する。
【００１４】
あるいは、一方の転動体が固定されている蝶番においては、この転動体上を可動駒が公転し、この可動駒上を他方の転動体が公転する。この場合は、他方の転動体が可動駒を介して、固定されている一方の転動体を中心に３６０°公転する。
【００１５】
また、この蝶番によれば、可動駒と連結体との各接合面に設けられた嵌合部が嵌合することにより、可動駒がこの嵌合部に案内されながら連結体間を相対的に移動するだけでなく、一方の転動体から可動駒に加えられる荷重は、一旦、嵌合部に加えられ、嵌合部が緩衝材となり、他方の転動体には小さな荷重が加えられる。このため、転動体の外周面にピニオンが形成されていても、ピニオンには大きな衝撃力が加えられず、破損しないようにすることができる。
【００１６】
また、前記本発明に係る蝶番において、前記嵌合部は、１本または複数本の突条と溝とによって構成されてなることが好ましい。この蝶番によれば、可動駒に突条が形成され、連結体の連結板にこの突条を嵌入する溝が形成される。あるいは、逆に、連結体の連結板に突条が形成され、可動駒にこの突条を嵌入する溝が形成される。この突条と溝は、１本であっても複数本であってもよい。
【００１７】
また、前記本発明に係る蝶番において、前記転動体は、前記可動駒上を転動する転動部と、該転動部を先端部に設けた支持部と、該支持部の基端部に設けられたフランジとが一体に成形されたフレーム状であることが好ましい。この蝶番によれば、転動体は支持部の先端に転動部を設けたものとしたことにより、それぞれの支持部が衝突することなく、一対の転動体は重なり合うように対峙することができる。なお、フランジは、扉の端面などに固定される。
【００１８】
また、前記本発明に係る蝶番において、前記転動体は、前記可動駒上を転動する転動部と、該転動部を頂点としてほぼＶ字形に設けられた一対の傾斜板と、前記可動駒の側面の長さとほぼ同じ間隔で平行に配置された取付板とが一体に成形されたフレーム状であることが好ましい。この蝶番によれば、取付板が可動駒の幅と同じ間隔で配置され、かつ、傾斜板がほぼＶ字形（完全なＶ字形を含む。）に設けられることにより、転動体の表面同士または裏面同士が重なり合うように対峙した状態において、傾斜板が可動駒に衝突することなく、取付板同士が重なり合うようにすることができる。
【００１９】
また、前記と異なる本発明に係る蝶番は、一定の間隔をあけて配置される一対の転動体と、該一対の転動体の転動によって往復動する可動駒と、前記一対の転動体を転動自在に連結する連結体とからなり、前記転動体は、前記可動駒上を転動する転動部と、該転動部を先端部に設けた支持部と、該支持部の基端部に設けられたフランジとが一体に成形されたフレーム状であることを特徴としている。
【００２０】
この蝶番によれば、一対の転動体が連結体に連結され、一定の間隔に維持された状態で、可動駒の側面上を回転しながら両方向に移動する。また、可動駒は転動体に押されて往復動する。なお、可動駒は、両側面が平行な直方体形状または立方体形状だけでなく、両側面がハ字形の台形状とされる場合もある。可動駒の両側面が平行に形成される場合は、転動体は円筒形の転動部を備えている。また、可動駒の両側面がハ字形に形成される場合は、転動体の転動部は円錐台形状に形成される。
【００２１】
そして、この蝶番によれば、転動体は支持部の先端に転動部を設けたものとしたことにより、それぞれの支持部が衝突することなく、一対の転動体は重なり合うように対峙することができる。なお、フランジは、扉の端面などに固定される。
【００２２】
また、前記と異なる本発明に係る蝶番は、一定の間隔をあけて配置される一対の転動体と、該一対の転動体の転動によって往復動する可動駒と、前記一対の転動体を転動自在に連結する連結体とからなり、前記転動体は、前記可動駒上を転動する転動部と、該転動部を頂点としてほぼＶ字形に設けられた一対の傾斜板と、前記可動駒の側面の長さとほぼ同じ間隔で平行に配置された取付板とが一体に成形されたフレーム状であることを特徴としている。
【００２３】
そして、この蝶番によれば、一対の転動体が連結体に連結され、一定の間隔に維持された状態で、可動駒の側面上を回転しながら両方向に移動する。また、可動駒は転動体に押されて往復動する。なお、可動駒は、両側面が平行な直方体形状または立方体形状だけでなく、両側面がハ字形の台形状とされる場合もある。可動駒の両側面が平行に形成される場合は、転動体は円筒形の転動部を備えている。また、可動駒の両側面がハ字形に形成される場合は、転動体の転動部は円錐台形状に形成される。
【００２４】
また、この蝶番によれば、取付板が可動駒の幅と同じ間隔で配置され、かつ、傾斜板がほぼＶ字形（完全なＶ字形を含む。）に設けられることにより、転動体の表面同士または裏面同士が重なり合うように対峙した状態において、傾斜板が可動駒に衝突することなく、取付板同士が重なり合うようにすることができる。
【００２５】
また、前記本発明に係る蝶番において、前記可動駒の両側面には、ラックが形成され、かつ、前記一対の転動体には、該ラックと噛合するピニオンが形成されてなることが好ましい。この蝶番によれば、可動駒に形成されたラックと転動体に形成されたピニオンとが噛合することにより、転動体は可動駒上を滑ることなく転動し、また、可動駒は転動体間を滑ることなく往復動する。
【００２６】
また、前記本発明に係る蝶番において、前記連結体は、両端部が前記可動駒の両側面から突出し、かつ、中間部が該可動駒の相対面と当接するように設けられた一対の連結板と、前記転動体を支持し、かつ、前記連結板の両端部を連結する一対のピンとを備えてなることが好ましい。この蝶番によれば、可動駒が一対の連結体の連結板に挟まれる。この一対の連結板は、中間部が可動駒の相対面と当接し、両端部が可動駒の両側面から突出する。この連結板の両端部は、転動体を支持するピンによって連結される。したがって、転動体は、安定した状態で可動駒の側面上を転動する。
【００２７】
また、本発明に係るドアは、前記のいずれか一つの蝶番に備えられた各転動体に扉と扉、または扉と枠体とが固定されてなることを特徴としている。
【００２８】
このドアによれば、前記のいずれか一つの蝶番に備えられた各転動体に扉と扉とが固定されていることにより、扉が両方向に開閉する折戸とすることができる。また、一方の転動体に扉が固定され、他方の扉に枠体が固定されることにより、１枚の扉が蝶番を中心に３６０°回動するように両方向に開閉する自在戸とすることができる。さらに、蝶番は、どのような扉や枠体にも固定することができるため、汎用性に優れたものとすることができる。
【００２９】
また、前記本発明に係るドアにおいて、前記連結体は、扉厚と同じ幅または扉厚よりも狭い幅とされてなることが好ましい。
【００３０】
このドアによれば、連結体が扉厚と同じ幅または板厚よりも狭い幅とされていることにより、ドアが折戸の場合は各扉が重なり合うように開扉することができ、また、ドアが自在戸の場合は扉と壁とが重なり合うように開閉することができる。そして、連結体がドアの表面から突出することなく、埋め込まれた状態となり、蝶番内に塵埃などが入り込むことがなく、さらに、外観を良好にすることができる。
【００３１】
また、前記本発明に係るドアにおいて、転動体の幅とほぼ同じ直径の半円筒形のカバーが前記可動駒の方へ膨出するように前記蝶番の片側または両側に隣接して配置されていることが好ましい。
【００３２】
このドアによれば、半円筒形のカバーによって、扉と扉との間、または扉と枠体との間の隙間が塞がれる。蝶番が扉の端縁に固定されるときは、カバーは蝶番の片側に配置され、蝶番の扉の中間部に固定されるときは、カバーは蝶番の両側に配置される。なお、半円筒形のカバーの直径とは、カバーの両端部の間隔のことである。
【発明の効果】
【００３３】
本発明に係る蝶番によれば、可動駒の両側面上を転動する転動体が連結体によって連結されていることにより、一対の転動体は、可動駒を介して揺動し、表面同士または裏面同士が重なり合うように対峙するため、利便性を向上させることできる。そして、この蝶番は、汎用性があるため、大量生産により、コストダウンを図ることができる。
【００３４】
また、本発明に係るドアによれば、前記本発明に係る蝶番の転動体に扉と扉または扉と枠体が固定されることにより、扉が両方向に開閉し、通行が便利になるだけでなく、取付けの作業性を向上させることができる。
【発明を実施するための最良の形態】
【００３５】
本発明に係る蝶番およびこの蝶番を備えたドアの実施形態について図１から図１５を参照しながら説明する。このドアは、図１に示すように、２枚の扉１１，１２が蝶番２０によって連結された折戸であり、鉛直姿勢に立設された２本の縦枠１，１と、この縦枠１，１の上端部に水平姿勢に架け渡された上枠２で囲まれた枠内を開閉する。上枠２の下面には、吊りレール３が固定されている。
【００３６】
扉１１，１２は、開閉しやすいように、幅の比が１：２とされている。ただし、使用状況に応じて、扉１１，１２の幅の比は１：１であってもよい。いずれにしても、扉１１、１２は、１枚の板状のパネル体１０が平面視でＵ字形に曲げられることによって成形され、あるいは、２枚のパネル体１０，１０が平行に対峙するように配置されることによって形成され、あるいは、木製の板などによって形成されている。
【００３７】
そして、扉１１，１２が突き合う側端面の上下両端部の２か所に蝶番２０が取り付けられている。この蝶番２０は、必要に応じて中間部にも取り付けられる。また、蝶番２０は、図示したような端縁ではなく、端縁から内寄りに取り付けられてもよい。
【００３８】
蝶番２０が扉１１，１２の端縁に取り付けられるときは、蝶番２０の片側に配置されているパネル体１０の半円筒形の部分がカバー１０ａとなる。蝶番２０が扉１１，１２の中間部に取り付けられるときは、蝶番２０の両側にカバー１０ａが配置される。扉１１，１２が１枚の木製の板によって形成されているときは、板の突き合う側端面に半円筒状のカバー１０ａが配置される。
【００３９】
そして、幅の狭い扉（以下、「小扉」という。）１１の基端側は、軸受４，４によって一方の縦枠１に揺動自在に取り付けられている。また、幅の広い扉（以下、「大扉」という。）１２は、前記吊りレール３に吊り下げられる。そのため、大扉１２の上端面のほぼ中心に吊り車１４が取り付けられている。吊り車１４には、大扉１２の上端面に固定された軸１４ａと、この軸１４ａの上端に回動自在に取り付けられたローラ１４ｂが備えられている。
【００４０】
また、大扉１２には、ハンドル１５が取り付けられている。そして、このハンドル１５が押されまたは引かれると、吊り車１４の軸１４ａが回転軸となって、図２または図３に示すように、大扉１２が平面視で傾きながら小扉１１を押すように移動し、小扉１１を押すことにより、小扉１１が大扉１２と同じ側に平面視で傾く。完全に開扉されると、一方の縦枠１側で大扉１２と小扉１１とが重なり合った状態となる。
【００４１】
両扉１１，１２がこのように開閉するようにするため、両扉１１，１２に取り付けられた蝶番２０は、図４ないし図７に示すように、可動駒２１、転動体２２、そして連結体２４を備えている。
【００４２】
可動駒２１は、両側面２１ａ，２１ａおよび両相対面２１ｂ，２１ｂ（図面において上面と下面）が平行な直方体形状または立方体形状、または図示しないが、両側面２１ａ，２１ａがハ字形状で両相対面２１ｂ，２１ｂが平行な台形状とされている。また、両側面２１ａ，２１ａにはラックが形成されている。
【００４３】
そして、転動体２２は、前記可動駒２１の両側に配置される一対で構成され、前記可動駒２１の各側面２１ａ，２１ａ上を回転しながら両方向に移動する半円筒状の転動部２２ａと、この転動部２２ａを頂点としてほぼＶ字形（完全なＶ字形を含む。）に設けられた一対の傾斜板２２ｂ，２２ｂと、この傾斜板２２ｂ，２２ｂの基端側に平行に設けられた一対の取付板２２ｃ，２２ｃとこの取付板２２ｃ，２２ｃの基端側に架設された端板２２ｄとによって、五角形のフレーム状に形成されている。
【００４４】
平行な取付板２２ｃ，２２ｃの間隔は、前記可動駒２１の側面２１ａ，２１ａの長さとほぼ同じとされている。また、各取付板２２ｃには、パネル体１０を固定するための小孔２２ｅ，２２ｅ…が４か所に形成されている。なお、小孔２２ｅ，２２ｅ…は、３か所でも５か所以上であってもよい。
【００４５】
そして、転動部２２ａの外周面には、前記可動駒２１のラックと噛合するピニオンが形成され、中心軸には貫通孔が形成されている。なお、可動駒２１が台形状に形成されているときは、転動部２２ａは、かさ歯車のように円錐台形状に形成される。
【００４６】
そして、連結体２４は、前記転動部２２ａを転動自在に連結するもので、中間部が可動駒２１の両相対面２１ｂ，２１ｂに当接し、両端部が可動駒２１の両側面２１ａ，２１ａから突出する一対のトラック形状の連結板２４ａ，２４ａと、連結板２４ａの両端部から転動部２２ａの貫通孔に係入して一対の連結板２４ａ，２４ａを連結するピン２４ｂ，２４ｂとが備えられている。したがって、連結板２４ａ，２４ａは、可動駒２１を挟む一対の転動部２２ａ，２２ａの間隔よりも長く形成されている。なお、ピン２４ｂは、図示したように、転動部２２ａの貫通孔を貫通する場合だけでなく、それぞれ２本で構成され、転動部２２ａの貫通孔の端部内にのみ挿入されるようにすることもできる。
【００４７】
そして、可動駒２１の相対面２１ｂと連結体２４の連結板２４ａとの各接合面には、スライド自在な嵌合部２３が設けられている。この嵌合部２３は、例えば、可動駒２１の各相対面２１ｂに形成された突条２３ａと、この突条２３ａを嵌入するように連結板２４ａに形成された溝２３ｂとによって構成されている。逆に、可動駒２１の各相対面２１ｂに溝２３ｂが形成され、連結体２４の連結板２４ａに突条２３ａが形成されてもよい。いずれにしても、突条２３ａと溝２３ｂは、可動駒２１の両相対面２１ｂ，２１ｂの中心軸または偏心して１本または複数本形成される。
【００４８】
本実施形態における蝶番２０はこのように構成され、２つの転動体２２は、可動駒２１を支点とし、図５に示すように直線状に並んだ状態から図６に示すように斜交いの向きになった状態を経由して、図７に示すように対峙した状態とに向きが変えられる。
【００４９】
ここで、このような蝶番２０を小扉１１と大扉１２に連結した折戸のようなドアについて図８ないし図１５を参照しながら説明する。小扉１１と大扉１２を形成しているパネル体１０には、連結板２４ａ，２４ａを隙間をもって嵌める切欠部１０ｂ，１０ｂが形成されている。さらに、パネル体１０には、転動体２２の取付板２２ｃ，２２ｃに形成された小孔２２ｅ，２２ｅ…に連通する小孔が形成され、両小孔に皿ネジ３０が貫通し、パネル体１０が転動体２２の取付板２２ｃ，２２ｃに固定される。パネル体１０の半円筒形のカバー１０ａは、直径すなわち円弧の両端部の間隔が転動体２２の取付板２２ｃ，２２ｃの幅とほぼ同じで、カバー１０ａの中心が転動部２２ａと同軸に蝶番２０の片側に隣接して配置されている。
【００５０】
そして、蝶番２０によって連結された両扉１１，１２が閉扉しているときは、図８および図９に示すように、一対の転動体２２，２２と可動駒２１とが１列に並んだ状態となっている。また、各転動体２２，２２に設けられた転動部２２ａ，２２ａは、可動駒２１の各側面２１ａ，２１ａの中心に位置している。このとき、両パネル体１０，１０のカバー１０ａ，１０ａが突き合う状態となり、両扉１１，１２間に隙間が生じないようにされている。
【００５１】
そして、開扉するため、大扉１２に取り付けられたハンドル１５が押されると、図２の一点鎖線、図１０および図１１に示すように、大扉１２が吊り車１４の軸１４ａを回転軸として図面において時計方向に傾きつつ、一方の縦枠１の方へ移動する。このとき、大扉１２を固定した一方の転動体２２の転動部２２ａが可動駒２１の一方の側面２１ａ上を中心から一端側へ転動し、可動駒２１が移動する。
【００５２】
可動駒２１が移動することにより、他方の転動体２２の転動部２２ａが可動駒２１の他方の側面２１ａ上を中心から一端側へ転動する。すると、この他方の転動体２２が図面において反時計方向に傾き、小扉１１が一方の縦枠１に取り付けられた軸受４，４を回転軸として図面において反時計方向に傾く。
【００５３】
このようにして、一対の転動体２２，２２に固定された大扉１２と小扉１１は、図２の一点鎖線、図１０および図１１に示すように、屈曲し、一方の縦枠１側に近寄る。さらに、ハンドル１５が押されると、図２の二点鎖線、図１２および図１３に示すように、大扉１２と小扉１１とが重ね合わされ、完全に開扉される。
【００５４】
逆に、閉扉するときは、大扉１２に取り付けられたハンドル１５を引く。すると、大扉１２を固定した一方の転動体２２の転動部２２ａが可動駒２１の一方の側面２１ａ上を一端側から中心へ転動する。同時に、小扉１１を固定した他方の転動体２２の転動部２２ａが可動駒２１の他方の側面２１ａ上を一端側から中心へ転動する。このようにして、一対の転動体２２，２２に固定された大扉１２と小扉１１は、図２の一点鎖線で示したように屈曲した状態から図２の実線で示したような直線の状態となって閉扉される。
【００５５】
この一連の動作において、可動駒２１の側面２１ａに形成されたラックと他方の転動体２２の転動部２２ａの外周面に形成されたピニオンとが噛合していることから、この転動部２２ａは、可動駒２１上を滑ることなく転動し、両扉１１，１２はスムーズに開閉される。
【００５６】
加えて、一方の転動体２２の転動部２２ａから可動駒２１に加えられる荷重は、嵌合部２３が緩衝材となり、小さくされて他方の転動体２２へ加えられる。すなわち、可動駒２１の相対面２１ｂ，２１ｂに形成された突条２３ａ，２３ａが連結体２４の連結板２４ａ，２４ａに形成された溝２４ｃ，２４ｃに嵌入していることから、一方の転動体２２からの荷重が連結体２４にも加えられ、この荷重が小さくされて他方の転動体２２の転動部２２ａに加えられる。よって、ドアが長期間、開閉されても、ラックやピニオンは破損することがない。
【００５７】
また、このドアは、ハンドル１５を引くことによっても開扉することができる。すなわち、ハンドル１５を引くと、図３の一点鎖線に示すように、大扉１２が吊り車１４の軸を回転軸として図面において反時計方向に傾きつつ、一方の縦枠１の方へ移動する。このとき、大扉１２を固定した一方の転動体２２の一方の転動部２２ａが可動駒２１の一方の側面２１ａ上を中心から他端側へ転動し、可動駒２１が移動する。
【００５８】
可動駒２１が移動することにより、他方の転動体２２の転動部２２ａが可動駒２１の他方の面上を中心から他端側へ転動する。すると、この他方の転動部２２ａを設けた他方の転動体２２が、図１４に示すように図面において時計方向に傾き、小扉１１が一方の縦枠１に取り付けられた軸受４，４を回転軸として図面において時計方向に傾く。
【００５９】
さらにハンドル１５が引かれると、一対の転動体２２，２２に固定された大扉１２と小扉１１は、図３の二点鎖線および図１５に示すように重ね合わされた状態となって開扉される。そして、ハンドル１５を押すことによって、蝶番２０が前記と逆に動き、閉扉することができる。
【００６０】
このように、この実施形態におけるドアは、両方向に開閉することができる。しかも、大扉１２と小扉１１とは完全に重なり合った状態とすることができる。したがって、このドアが例えば病院のトイレで採用されると、車椅子の使用者が個室内で倒れても救出することができる。
【００６１】
次に、本発明に係る蝶番の異なる実施形態について図１６を参照しながら説明する。この蝶番２０は、転動体２２がフランジ２２ｆと支持部２２ｇとをＴ字形に一体成形されたもので、支持部２２ｇの先端に転動部２２ａが設けられている。ただし、蝶番２０の取付状況に応じて、フランジ２２ｆと支持部２２ｇは、Ｌ字形に一体成形したものとすることもできる。いずれにしても、フランジ２２ｆと支持部２２ｇとはリブ２２ｈによって連結されていることが好ましい。さらに、フランジ２２ｆには、皿ネジ３０によって固定するための複数（４か所図示したが、数は限定するものではない。）の皿孔２２ｉ，２２ｉ…が形成されている。
【００６２】
そして、この蝶番２０も前記実施形態の蝶番２０と同じく、一対の転動体２２，２２が一対の連結体２４，２４に連結され、可動駒２１の相対面２１ｂと連結板２４ａとの接合面に嵌合部２３が設けられている。したがって、可動駒２１は、図示したような立方体形状または直方体形状だけでなく、両側面２１ａ，２１ａがハ字形で両相対面２１ｂ、２２１ｂが平行な台形状とすることもできる。また、可動駒２１の各側面２１ａにはラックが形成され、転動部２２ａの外周面にはラックと噛合するピニオンが形成されている。そして、嵌合部２３は、可動駒２１の相対面２１ｂに形成された突条２３ａと連結板２４ａに形成された溝２３ｂとによって構成されている。なお、嵌合部２３は、可動駒２１の相対面２１ｂに溝２３ｂが形成され、連結板２４ａに突条２３ａが形成されたものとしてもよい。
【００６３】
このような蝶番２０は、前記のような折戸を構成する扉１１，１２の端面に転動体２２のフランジ２２ｆを固定することにより、両扉１１，１２を連結することもできる。ただし、転動体２２のフランジ２２ｆは、支持部２２ｇに対して垂直に設けられているため、縦枠１や上枠２などの枠体に容易に固定することができる。
【００６４】
したがって、この蝶番２０は、図１７ないし図２２に示すように、１枚の扉１３が両方向に開閉する自在戸のようなドアに備えることができる。すなわち、この蝶番は、縦枠１と扉１３とを連結するように取り付けられる。縦枠１および扉１３が突き合う両端部には、切欠部１ａ，１３ａが形成され、この切欠部１ａ，１３ａに転動体２２，２２が埋め込まれるようにして、フランジ２２ｆが皿ネジ３０によって縦枠１および扉１３に固定される。切欠部１ａ，１３ａは、縦枠１および扉１３の端面が転動体２２の転動部２２ａと同じ位置となるような深さに形成されている。そして、縦枠１および扉１３の端面には、半円筒状のカバー１０ａ，１０ａが取り付けられている。
【００６５】
このような扉１３は、図１７および図１８に示すように閉扉されているときは、一対の転動体２２，２２が直線状に並んでいる。そして、扉１３が押されると、縦枠１に固定されている転動体２２が当然、移動せず、図１９に示すように、この転動体２２の転動部２２ａを中心に、可動駒２１が公転し、この可動駒２１を介して他方の転動体２２が公転する。このようにして、扉１３は、図２０に示すように１８０°開扉される。
【００６６】
逆に、扉１３が引かれると、縦枠１に固定されている転動体２２に設けられた転動部２２ａを中心に、図２１に示すように、可動駒２１と他方の転動体２２とが前記とは逆方向に公転し、そして扉１３は図２２に示すように、前記とは逆方向に１８０°開扉される。このようにして、扉１３は、一方の転動体２２を中心に両方向で３６０°回動する。
【００６７】
この扉１３の回動における蝶番２０の動作は、閉扉状態において可動駒２１が両転動体２２，２２の中間に位置した状態から、扉１３が押され、または引かれることにより、扉１３に固定された転動体２２に設けられた転動部２２ａが可動駒２１の一方の側面２１ａ上を移動する。すると、可動駒２１が一方または他方側へ移動し、同時に、可動駒２１の他方の側面２１ａが縦枠１に固定された転動体２２に設けられた転動部２２ａ上を摺動しながら公転する。
【００６８】
さらに、この自在戸に取り付ける蝶番２０は、前記の折戸と同じく、突条２３ａと溝２３ｂとによって構成される嵌合部２３が緩衝材となり、可動駒２１および他方の転動体２２に大きな荷重が加えられないことから、ドアが長期間、開閉されても、ラックやピニオンが破損することがない。このように、１枚の扉１３は、いつまでもスムーズに３６０°両方向に開閉し続けることができる。
【００６９】
なお、本発明は、前記実施の形態に限定することなく、特許請求の範囲に記載された発明特定事項の範囲内において種々変更することができる。例えば、蝶番２０は、可動駒２１の両側面２１ａと転動部２２ａの外周面をゴムや粗面その他の摩擦係数の大きな材質とすることにより、可動駒２１の両面にラックを形成せず、転動部２２ａの外周面にラックを形成しないようにしてもよい。
【００７０】
また、連結体２４は、連結板２４ａ，２４ａとピン２４ｂ，２４ｂとの組合せではなく、両端部が回動軸を貫通するコ字形のシャフトなどによって構成してもよい。さらに、蝶番２０は、折戸の例で説明した五角形状の転動体２２と、１枚の扉１３で説明したＴ字形状またはＬ字形状の転動体２２とを組み合わせたものとしてもよい。
【００７１】
また、蝶番２０は、ドアの扉１１，１２，１３以外に、蓋、間仕切りなどを構成している各種のパネル体１０に取り付けることもできる。
【産業上の利用可能性】
【００７２】
本発明に係る蝶番は、折戸や自在戸のようなドアだけでなく、２枚のパネル体が山折となって開くような蓋、靴箱や箪笥などの扉、大部屋を小部屋に仕切るための間仕切りなどとして有効に使用することができる。
【００７３】
また、本発明に係るドアは、住宅や店舗などの玄関、風呂場やトイレなどの出入口、電話ボックス、ガレージなどに有効に使用することができる。
【図面の簡単な説明】
【００７４】
【図１】本発明に係るドアの一実施形態を示す一部断面斜視図である。
【図２】本発明に係るドアの一実施形態を示す一部断面平面図である。
【図３】本発明に係るドアの一実施形態を示す一部断面平面図である。
【図４】本発明に係る蝶番の一実施形態を示す分解斜視図である。
【図５】本発明に係る蝶番の一実施形態を示す斜視図である。
【図６】本発明に係る蝶番の一実施形態を示す斜視図である。
【図７】本発明に係る蝶番の一実施形態を示す斜視図である。
【図８】本発明に係るドアの一実施形態を示す要部拡大斜視図である。
【図９】本発明に係るドアの一実施形態を示す要部拡大平面図である。
【図１０】本発明に係るドアの一実施形態を示す要部拡大斜視図である。
【図１１】本発明に係るドアの一実施形態を示す要部拡大平面図である。
【図１２】本発明に係るドアの一実施形態を示す要部拡大斜視図である。
【図１３】本発明に係るドアの一実施形態を示す要部拡大平面図である。
【図１４】本発明に係るドアの一実施形態を示す要部拡大平面図である。
【図１５】本発明に係るドアの一実施形態を示す要部拡大平面図である。
【図１６】本発明に係る蝶番の前記と異なる実施形態を示す分解斜視図である。
【図１７】本発明に係る図１６に示した蝶番を使用するドアの実施形態を示す要部拡大斜視図である。
【図１８】本発明に係る図１６に示した蝶番を使用するドアの実施形態を示す平面図である。
【図１９】本発明に係る図１６に示した蝶番を使用するドアの実施形態を示す平面図である。
【図２０】本発明に係る図１６に示した蝶番を使用するドアの実施形態を示す平面図である。
【図２１】本発明に係る図１６に示した蝶番を使用するドアの実施形態を示す平面図である。
【図２２】本発明に係る図１６に示した蝶番を使用するドアの実施形態を示す平面図である。
【図２３】従来のドアを含む正面図である。
【図２４】従来の蝶番を含むドアの一部断面平面である。
【図２５】従来のドアの断面平面である。
【符号の説明】
【００７５】
１………縦枠（枠体）
１０ａ…カバー
１１……小扉（扉）
１２……大扉（扉）
１３……扉
２０……蝶番
２１……可動駒
２１ａ…側面
２１ｂ…相対面
２１ｃ…突条
２２……転動体
２２ｃ…取付板
２２ｂ…傾斜板
２２ｆ…フランジ
２２ｇ…支持部
２３……嵌合部
２３ａ…突条
２３ｂ…溝
２４……連結体
２４ａ…連結板
２４ｂ…ピン
２４ｃ…溝
【図１】
0004679329.tif 000002
【図２】
0004679329.tif 000003
【図３】
0004679329.tif 000004
【図４】
0004679329.tif 000005
【図５】
0004679329.tif 000006
【図６】
0004679329.tif 000007
【図７】
0004679329.tif 000008
【図８】
0004679329.tif 000009
【図９】
0004679329.tif 000010
【図１０】
0004679329.tif 000011
【図１１】
0004679329.tif 000012
【図１２】
0004679329.tif 000013
【図１３】
0004679329.tif 000014
【図１４】
0004679329.tif 000015
【図１５】
0004679329.tif 000016
【図１６】
0004679329.tif 000017
【図１７】
0004679329.tif 000018
【図１８】
0004679329.tif 000019
【図１９】
0004679329.tif 000020
【図２０】
0004679329.tif 000021
【図２１】
0004679329.tif 000022
【図２２】
0004679329.tif 000023
【図２３】
0004679329.tif 000024
【図２４】
0004679329.tif 000025
【図２５】
0004679329.tif 000026